(57)【要約】【課題】本発明は子供用の放熱コップを開示した。【解決手段】コップ本体を含み、前記保温内瓶を取り出す時、前記押しボタンを押して前記ラックを推し動かして移動させ、前記ラックが移動して前記ギヤを連動させて回転させ、前記ラックが回転して前記引っ掛かりブロックを連動させて移動させ、前記引っ掛かりブロックが前記引っ掛かり溝に引っかかっている状態から離脱し、前記保温内瓶を取り出すことができ、直接に空気を利用して保温内瓶を冷却することができ、また手で放熱機構を操作でき、放熱機構を使用して保温内瓶を放熱させ、保温内瓶を取り出した後、羽根を洗浄することができ、放熱機構の使用寿命を延ばす。【選択図】図１
2020175057.tif 000002
【特許請求の範囲】
【請求項１】
コップ本体を含み、前記コップ本体には取っ手が前後対称的に固定的に装着され、前記コップ本体には蓋がネジ山により装着され、前記蓋の頂部端面には補助板が固定的に装着され、前記補助板の中にはスライド溝が設置され、前記スライド溝の中にはスライド板がスライドできるように装着され、前記スライド板の右側端面には固定ブロックが固定的に装着され、前記蓋の頂部端面には上へ開口した補助溝が設置され、前記スライド板が前記補助溝の中に引っかかることができ、前記蓋の頂部端面には補助ブロックが固定的に装着され、前記補助ブロックの中には前記蓋の底部端面を貫通しているストローが固定的に装着され、前記ストローの中にはストローチャンバが設置され、水を飲む時、前記固定ブロックにより前記スライド板を推し動かし、前記ストローが前記スライド板と前記補助ブロックとの間から放され、水を飲まない時、前記ストローが前記スライド板と前記補助ブロックによりきつく挟まれ、水が前記ストローチャンバから流出することを防止し、前記コップ本体の中には上へ開口した移動チャンバが設置され、前記移動チャンバの中には保温内瓶がスライドできるように装着され、前記保温内瓶の中には上へ開口しており、且つ水を入れることができる水チャンバが設置され、前記保温内瓶と前記コップ本体との間には前記保温内瓶の移動を制限できる引っ掛かりブロック機構が設置され、前記引っ掛かりブロック機構は前記保温内瓶の中に左右対称的に設置される引っ掛かり溝を含み、前記コップ本体の中にはばねチャンバが左右対称的に設置され、前記ばねチャンバの中には引っ掛かりブロックがスライドできるように装着され、前記引っ掛かりブロックが前記引っ掛かり溝の中に引っかかることができ、前記保温内瓶の移動を制限し、前記移動チャンバの下方には前記保温内瓶を放熱させることができる放熱機構が設置され、前記放熱機構は前記移動チャンバの下方に連通して設置される放熱チャンバを含み、前記放熱チャンバの下方には噛み合いチャンバが設置され、前記噛み合いチャンバと前記放熱チャンバとの間には放熱ロッドが回転できるように装着され、前記放熱ロッドには放熱を行う羽根が固定的に装着されることを特徴とする子供用の放熱コップ。
【請求項２】
前記引っ掛かりブロック機構はまた、前記引っ掛かりブロックと前記ばねチャンバとの間に固定的に装着される第一ばねを含み、前記ばねチャンバの下方にはギヤチャンバが連通して設置され、前記ギヤチャンバの前後内壁の間にはギヤロッドが回転できるように装着され、前記ギヤロッドにはギヤが固定的に装着され、前記ギヤが前記引っ掛かりブロックと噛み合っており、前記ギヤチャンバの下方にはラック溝が連通して設置され、前記ラック溝の中にはラックがスライドできるように装着され、前記ラックが前記ギヤと噛み合っており、前記ラック溝には押しボタンチャンバが連通して設置され、前記押しボタンチャンバの中には押しボタンがスライドできるように装着され、前記押しボタンが前記ラックと固定的に連結され、前記押しボタンと前記押しボタンチャンバとの間には第二ばねが固定的に装着され、前記保温内瓶を取り出す時、前記押しボタンを押して前記ラックを推し動かして移動させ、前記ラックが移動して前記ギヤを連動させて回転させ、前記ラックが回転して前記引っ掛かりブロックを連動させて移動させ、前記引っ掛かりブロックが前記引っ掛かり溝に引っかかっている状態から離脱し、前記保温内瓶を取り出すことができることを特徴とする請求項１に記載の子供用の放熱コップ。
【請求項３】
前記放熱機構はまた、前記放熱ロッドの底部端面に固定的に装着される第一ベベルギヤを含み、前記噛み合いチャンバの右側には右へ開口した密封チャンバが設置され、前記密封チャンバの左側内壁と前記噛み合いチャンバの左側内壁との間には伝動ロッドが回転できるように装着され、前記伝動ロッドの中には連結ロッドがスライドできるように装着され、前記連結ロッドの左側端面には引き動かしロッドが回転できるように装着され、前記引き動かしロッドが前記伝動ロッド及び前記コップ本体とスライドできるように装着され、前記伝動ロッドの中には連結チャンバが設置され、前記連結チャンバの中には方形の連結ブロックがスライドできるように装着され、前記連結ブロックが前記連結ロッドと固定的に装着され、前記連結ロッドの右側端面には回転ロッドが固定的に装着され、前記密封チャンバの後側内壁にはスライドチャンバが連通して設置され、前記スライドチャンバの中には密封板がスライドできるように装着され、前記密封板の右側端面には推し動かしブロックが固定的に装着され、前記密封チャンバの前側内壁にはリミット溝が連通して設置され、前記密封板が前記リミット溝の中に引っかかることができ、前記伝動ロッドには第二ベベルギヤが固定的に装着され、前記第二ベベルギヤが前記第一ベベルギヤと噛み合っており、前記放熱チャンバの底壁には前記コップ本体の底部端面を貫通している吸気口が連通して設置され、前記放熱チャンバの左側内壁には前記コップ本体の左側端面を貫通している吹出口が連通して設置され、前記吹出口の下方にはヒンジ連結チャンバが設置され、前記ヒンジ連結チャンバと前記吹出口との間には阻み板がスライドできるように装着され、前記阻み板と前記引き動かしロッドとの間にはヒンジ連結ロッドがヒンジにより連結して装着され、前記引き動かしロッドの中には抜き孔が設置され、前記抜き孔が前記吸気口と連通することができ、前記保温内瓶を放熱させる時、前記推し動かしブロックにより前記密封板を開け、そして前記回転ロッドを引き出し、前記連結ブロックが前記連結チャンバの中でスライドし、前記抜き孔が前記吸気口と連通しており、前記引き動かしロッドが前記ヒンジ連結ロッドにより前記阻み板を連動させて下へ移動させ、次に前記回転ロッドを回転させて前記伝動ロッドを連動させて回転させ、前記伝動ロッドが回転して前記第二ベベルギヤを連動させて回転させ、前記第二ベベルギヤが前記第一ベベルギヤとの噛み合いにより前記放熱ロッドを連動させて回転させ、前記放熱ロッドが回転して前記羽根を連動させて回転させ、前記保温内瓶を放熱させることを特徴とする請求項１に記載の子供用の放熱コップ。
【発明の詳細な説明】
【技術分野】
【０００１】
本発明はコップ分野を取り上げて、具体的には子供用の放熱コップである。
【背景技術】
【０００２】
一般的な子供用のコップがコップの保温内瓶を取り出すことができないので、コップの放熱量は限りがあり、放熱の速度が遅く、しかも放熱を行う機構がなく、普通の放熱できる子供用のコップは放熱機構を洗浄することができないため、長時間使用した後、放熱機構が効かなくなる。
【先行技術文献】
【特許文献】
【０００３】
【特許文献１】中国特許出願公開第１０５４７６３６７号明細書
【発明の概要】
【発明が解決しようとする課題】
【０００４】
本発明は子供用の放熱コップを提供し、従来技術における上記欠点を解消することを目的とする。
【課題を解決するための手段】
【０００５】
本発明の子供用の放熱コップは、コップ本体を含み、前記コップ本体には取っ手が前後対称的に固定的に装着され、前記コップ本体には蓋がネジ山により装着され、前記蓋の頂部端面には補助板が固定的に装着され、前記補助板の中にはスライド溝が設置され、前記スライド溝の中にはスライド板がスライドできるように装着され、前記スライド板の右側端面には固定ブロックが固定的に装着され、前記蓋の頂部端面には上へ開口した補助溝が設置され、前記スライド板が前記補助溝の中に引っかかることができ、前記蓋の頂部端面には補助ブロックが固定的に装着され、前記補助ブロックの中には前記蓋の底部端面を貫通しているストローが固定的に装着され、前記ストローの中にはストローチャンバが設置され、水を飲む時、前記固定ブロックにより前記スライド板を推し動かし、前記ストローが前記スライド板と前記補助ブロックとの間から放され、水を飲まない時、前記ストローが前記スライド板と前記補助ブロックによりきつく挟まれ、水が前記ストローチャンバから流出することを防止し、前記コップ本体の中には上へ開口した移動チャンバが設置され、前記移動チャンバの中には保温内瓶がスライドできるように装着され、前記保温内瓶の中には上へ開口しており、且つ水を入れることができる水チャンバが設置され、前記保温内瓶と前記コップ本体との間には前記保温内瓶の移動を制限できる引っ掛かりブロック機構が設置され、前記引っ掛かりブロック機構は前記保温内瓶の中に左右対称的に設置される引っ掛かり溝を含み、前記コップ本体の中にはばねチャンバが左右対称的に設置され、前記ばねチャンバの中には引っ掛かりブロックがスライドできるように装着され、前記引っ掛かりブロックが前記引っ掛かり溝の中に引っかかることができ、前記保温内瓶の移動を制限し、前記移動チャンバの下方には前記保温内瓶を放熱させることができる放熱機構が設置され、前記放熱機構は前記移動チャンバの下方に連通して設置される放熱チャンバを含み、前記放熱チャンバの下方には噛み合いチャンバが設置され、前記噛み合いチャンバと前記放熱チャンバとの間には放熱ロッドが回転できるように装着され、前記放熱ロッドには放熱を行う羽根が固定的に装着される。
【０００６】
更の技術プランとしては、前記引っ掛かりブロック機構はまた、前記引っ掛かりブロックと前記ばねチャンバとの間に固定的に装着される第一ばねを含み、前記ばねチャンバの下方にはギヤチャンバが連通して設置され、前記ギヤチャンバの前後内壁の間にはギヤロッドが回転できるように装着され、前記ギヤロッドにはギヤが固定的に装着され、前記ギヤが前記引っ掛かりブロックと噛み合っており、前記ギヤチャンバの下方にはラック溝が連通して設置され、前記ラック溝の中にはラックがスライドできるように装着され、前記ラックが前記ギヤと噛み合っており、前記ラック溝には押しボタンチャンバが連通して設置され、前記押しボタンチャンバの中には押しボタンがスライドできるように装着され、前記押しボタンが前記ラックと固定的に連結され、前記押しボタンと前記押しボタンチャンバとの間には第二ばねが固定的に装着される。
【０００７】
更の技術プランとしては、前記放熱機構はまた、前記放熱ロッドの底部端面に固定的に装着される第一ベベルギヤを含み、前記噛み合いチャンバの右側には右へ開口した密封チャンバが設置され、前記密封チャンバの左側内壁と前記噛み合いチャンバの左側内壁との間には伝動ロッドが回転できるように装着され、前記伝動ロッドの中には連結ロッドがスライドできるように装着され、前記連結ロッドの左側端面には引き動かしロッドが回転できるように装着され、前記引き動かしロッドが前記伝動ロッド及び前記コップ本体とスライドできるように装着され、前記伝動ロッドの中には連結チャンバが設置され、前記連結チャンバの中には方形の連結ブロックがスライドできるように装着され、前記連結ブロックが前記連結ロッドと固定的に装着され、前記連結ロッドの右側端面には回転ロッドが固定的に装着され、前記密封チャンバの後側内壁にはスライドチャンバが連通して設置され、前記スライドチャンバの中には密封板がスライドできるように装着され、前記密封板の右側端面には推し動かしブロックが固定的に装着され、前記密封チャンバの前側内壁にはリミット溝が連通して設置され、前記密封板が前記リミット溝の中に引っかかることができ、前記伝動ロッドには第二ベベルギヤが固定的に装着され、前記第二ベベルギヤが前記第一ベベルギヤと噛み合っており、前記放熱チャンバの底壁には前記コップ本体の底部端面を貫通している吸気口が連通して設置され、前記放熱チャンバの左側内壁には前記コップ本体の左側端面を貫通している吹出口が連通して設置され、前記吹出口の下方にはヒンジ連結チャンバが設置され、前記ヒンジ連結チャンバと前記吹出口との間には阻み板がスライドできるように装着され、前記阻み板と前記引き動かしロッドとの間にはヒンジ連結ロッドがヒンジにより連結して装着され、前記引き動かしロッドの中には抜き孔が設置され、前記抜き孔が前記吸気口と連通することができる。
【発明の効果】
【０００８】
本発明の有益効果は：本発明はコップ内の保温内瓶を取り出すことができ、直接に空気を利用して保温内瓶を冷却することができ、また手で放熱機構を操作でき、放熱機構を使用して保温内瓶を放熱させ、保温内瓶を取り出した後、羽根を洗浄することができ、放熱機構の使用寿命を延ばし、普及の価値がある。
【図面の簡単な説明】
【０００９】
【図１】図１は本発明の構成模式図
【図２】図２は図１の中のＡ−Ａ方向の断面構成模式図
【図３】図３は図１の中のＢ−Ｂ方向の断面構成模式図
【図４】図４は図１の中のＣにおける拡大模式図
【図５】図５は図１の中のＤにおける拡大模式図
【発明を実施するための形態】
【００１０】
以下に図１〜５を交えて本発明について詳しく説明する。便利に叙述するために、後文に出る方位を下記の通りに規定する：後文に出る上下左右前後方向は図１本体の投影関係の上下左右前後方向と一致する。
【００１１】
図１〜５を参照し、本発明の子供用の放熱コップは、コップ本体１２を含み、前記コップ本体１２には取っ手４８が前後対称的に固定的に装着され、前記コップ本体１２には蓋１１がネジ山により装着され、前記蓋１１の頂部端面には補助板４２が固定的に装着され、前記補助板４２の中にはスライド溝４３が設置され、前記スライド溝４３の中にはスライド板４１がスライドできるように装着され、前記スライド板４１の右側端面には固定ブロック３８が固定的に装着され、前記蓋１１の頂部端面には上へ開口した補助溝５９が設置され、前記スライド板４１が前記補助溝５９の中に引っかかることができ、前記蓋１１の頂部端面には補助ブロック３９が固定的に装着され、前記補助ブロック３９の中には前記蓋１１の底部端面を貫通しているストロー４４が固定的に装着され、前記ストロー４４の中にはストローチャンバ４０が設置され、水を飲む時、前記固定ブロック３８により前記スライド板４１を推し動かし、前記ストロー４４が前記スライド板４１と前記補助ブロック３９との間から放され、水を飲まない時、前記ストロー４４が前記スライド板４１と前記補助ブロック３９によりきつく挟まれ、水が前記ストローチャンバ４０から流出することを防止し、前記コップ本体１２の中には上へ開口した移動チャンバ１７が設置され、前記移動チャンバ１７の中には保温内瓶３６がスライドできるように装着され、前記保温内瓶３６の中には上へ開口しており、且つ水を入れることができる水チャンバ３７が設置され、前記保温内瓶３６と前記コップ本体１２との間には前記保温内瓶３６の移動を制限できる引っ掛かりブロック機構７０が設置され、前記引っ掛かりブロック機構７０は前記保温内瓶３６の中に左右対称的に設置される引っ掛かり溝５６を含み、前記コップ本体１２の中にはばねチャンバ１４が左右対称的に設置され、前記ばねチャンバ１４の中には引っ掛かりブロック１３がスライドできるように装着され、前記引っ掛かりブロック１３が前記引っ掛かり溝５６の中に引っかかることができ、前記保温内瓶３６の移動を制限し、前記移動チャンバ１７の下方には前記保温内瓶３６を放熱させることができる放熱機構８０が設置され、前記放熱機構８０は前記移動チャンバ１７の下方に連通して設置される放熱チャンバ３５を含み、前記放熱チャンバ３５の下方には噛み合いチャンバ２５が設置され、前記噛み合いチャンバ２５と前記放熱チャンバ３５との間には放熱ロッド３３が回転できるように装着され、前記放熱ロッド３３には放熱を行う羽根３４が固定的に装着される。
【００１２】
前記引っ掛かりブロック機構７０はまた、前記引っ掛かりブロック１３と前記ばねチャンバ１４との間に固定的に装着される第一ばね１５を含み、前記ばねチャンバ１４の下方にはギヤチャンバ５４が連通して設置され、前記ギヤチャンバ５４の前後内壁の間にはギヤロッド５２が回転できるように装着され、前記ギヤロッド５２にはギヤ５５が固定的に装着され、前記ギヤ５５が前記引っ掛かりブロック１３と噛み合っており、前記ギヤチャンバ５４の下方にはラック溝５３が連通して設置され、前記ラック溝５３の中にはラック５１がスライドできるように装着され、前記ラック５１が前記ギヤ５５と噛み合っており、前記ラック溝５３には押しボタンチャンバ４９が連通して設置され、前記押しボタンチャンバ４９の中には押しボタン１６がスライドできるように装着され、前記押しボタン１６が前記ラック５１と固定的に連結され、前記押しボタン１６と前記押しボタンチャンバ４９との間には第二ばね５０が固定的に装着され、これにより保温内瓶３６を取り出す時、押しボタン１６を押してラック５１を推し動かして移動させ、ラック５１が移動してギヤ５５を連動させて回転させ、ラック５５が回転して引っ掛かりブロック１３を連動させて移動させ、引っ掛かりブロック１３が引っ掛かり溝５６に引っかかっている状態から離脱し、保温内瓶３６を取り出すことができる。
【００１３】
前記放熱機構８０はまた、前記放熱ロッド３３の底部端面に固定的に装着される第一ベベルギヤ２６を含み、前記噛み合いチャンバ２５の右側には右へ開口した密封チャンバ２９が設置され、前記密封チャンバ２９の左側内壁と前記噛み合いチャンバ２５の左側内壁との間には伝動ロッド２８が回転できるように装着され、前記伝動ロッド２８の中には連結ロッド６０がスライドできるように装着され、前記連結ロッド６０の左側端面には引き動かしロッド２２が回転できるように装着され、前記引き動かしロッド２２が前記伝動ロッド２８及び前記コップ本体１２とスライドできるように装着され、前記伝動ロッド２８の中には連結チャンバ５８が設置され、前記連結チャンバ５８の中には方形の連結ブロック５７がスライドできるように装着され、前記連結ブロック５７が前記連結ロッド６０と固定的に装着され、前記連結ロッド６０の右側端面には回転ロッド３２が固定的に装着され、前記密封チャンバ２９の後側内壁にはスライドチャンバ４７が連通して設置され、前記スライドチャンバ４７の中には密封板３０がスライドできるように装着され、前記密封板３０の右側端面には推し動かしブロック３１が固定的に装着され、前記密封チャンバ２９の前側内壁にはリミット溝４５が連通して設置され、前記密封板３０が前記リミット溝４５の中に引っかかることができ、前記伝動ロッド２８には第二ベベルギヤ２７が固定的に装着され、前記第二ベベルギヤ２７が前記第一ベベルギヤ２６と噛み合っており、前記放熱チャンバ３５の底壁には前記コップ本体１２の底部端面を貫通している吸気口２４が連通して設置され、前記放熱チャンバ３５の左側内壁には前記コップ本体１２の左側端面を貫通している吹出口１８が連通して設置され、前記吹出口１８の下方にはヒンジ連結チャンバ２０が設置され、前記ヒンジ連結チャンバ２０と前記吹出口１８との間には阻み板１９がスライドできるように装着され、前記阻み板１９と前記引き動かしロッド２２との間にはヒンジ連結ロッド２１がヒンジにより連結して装着され、前記引き動かしロッド２２の中には抜き孔２３が設置され、前記抜き孔２３が前記吸気口２４と連通することができ、これにより保温内瓶３６を放熱させる時、推し動かしブロック３１により密封板３０を開け、そして回転ロッド３２を引き出し、連結ブロック５７が連結チャンバ５８の中でスライドし、抜き孔２３が吸気口２４と連通しており、引き動かしロッド２２がヒンジ連結ロッド２１により阻み板１９を連動させて下へ移動させ、次に回転ロッド３２を回転させて伝動ロッド２８を連動させて回転させ、伝動ロッド２８が回転して第二ベベルギヤ２７を連動させて回転させ、第二ベベルギヤ２７が第一ベベルギヤ２６との噛み合いにより放熱ロッド３３を連動させて回転させ、放熱ロッド３３が回転して羽根３４を連動させて回転させ、保温内瓶３６を放熱させる。
【００１４】
装置を使用し、水を飲む時、固定ブロック３８によりスライド板４１を推し動かし、ストロー４４がスライド板４１と補助ブロック３９との間から放され、水を飲まない時、ストロー４４がスライド板４１と補助ブロック３９によりきつく挟まれ、水がストローチャンバ４０から流出することを防止し、保温内瓶３６を取り出す時、押しボタン１６を押してラック５１を推し動かして移動させ、ラック５１が移動してギヤ５５を連動させて回転させ、ラック５５が回転して引っ掛かりブロック１３を連動させて移動させ、引っ掛かりブロック１３が引っ掛かり溝５６に引っかかっている状態から離脱し、保温内瓶３６を取り出すことができ、保温内瓶３６を放熱させる時、推し動かしブロック３１により密封板３０を開け、そして回転ロッド３２を引き出し、連結ブロック５７が連結チャンバ５８の中でスライドし、抜き孔２３が吸気口２４と連通しており、引き動かしロッド２２がヒンジ連結ロッド２１により阻み板１９を連動させて下へ移動させ、次に回転ロッド３２を回転させて伝動ロッド２８を連動させて回転させ、伝動ロッド２８が回転して第二ベベルギヤ２７を連動させて回転させ、第二ベベルギヤ２７が第一ベベルギヤ２６との噛み合いにより放熱ロッド３３を連動させて回転させ、放熱ロッド３３が回転して羽根３４を連動させて回転させ、保温内瓶３６を放熱させる。
【００１５】
本発明の有益効果は：本発明はコップ内の保温内瓶を取り出すことができ、直接に空気を利用して保温内瓶を冷却することができ、また手で放熱機構を操作でき、放熱機構を使用して保温内瓶を放熱させ、保温内瓶を取り出した後、羽根を洗浄することができ、放熱機構の使用寿命を延ばし、普及の価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175057.tif 000003
【図２】
2020175057.tif 000004
【図３】
2020175057.tif 000005
【図４】
2020175057.tif 000006
【図５】
2020175057.tif 000007